(57)【要約】【課題】安価に提供でき、最小限の部材変更で陳列角度、陳列棚の高さと段数等を変更し得る商品陳列什器の提供。【解決手段】２つの離間した縦部材１１とそれらをつなぐ２つの横部材１２とを有し、該縦部材１１の両側に高さ方向に沿って多数の取付穴１３が穿設され、かつ水平支持材を両側に接合可能な係合凹部１５が２つ隣接されてなる係合部１６が複数箇所に設けられた２つのサイドフレーム１７と、一方のサイドフレーム１７の係合部１６に一端を接合しかつ他方のサイドフレーム１７の係合部１６に他端を接合した水平支持材と、縦部材１１の取付穴１３に着脱可能に取り付けられた複数の棚ガイド部材１８と、対向状態で取り付けられた１対の棚ガイド部材１８に着脱可能に取り付けられた陳列棚１９とを含む商品陳列什器１０。【選択図】　図１
2004073663.tif 000002
【特許請求の範囲】
【請求項１】
少なくとも２つの離間した縦部材とそれらをつなぐ横部材とを有し、該縦部材の両側に高さ方向に沿って並ぶ多数の取付部が穿設され、かつ水平支持材を両側に接合可能な係合凹部または係合凸部が複数隣接された係合部が複数箇所に設けられた複数のサイドフレームと、一方のサイドフレームの係合部に一端を接合しかつ他方のサイドフレームの係合部に他端を接合した水平支持材と、前記縦部材の取付部に着脱可能に取り付けられた複数の棚ガイド部材と、対向状態で取り付けられた１対の該棚ガイド部材に着脱可能に取り付けられた陳列棚とを含むことを特徴とする商品陳列什器。
【請求項２】
前記サイドフレームが、前記縦部材と横部材とを角部となるジョイントで連結して構成された請求項１記載の商品陳列什器。
【請求項３】
前記ジョイントが合成樹脂からなり、直角部、または鈍角部と鋭角部の組み合わせのいずれかを有する請求項２記載の商品陳列什器。
【請求項４】
前記ジョイントが合成樹脂からなり、かつ前記係合部が該ジョイントに設けられている請求項２または３記載の商品陳列什器。
【請求項５】
前記ジョイントが、前記サイドフレームの形状を長方形または正方形とする角度から、高さ方向が所定角度傾斜した平行四辺形になる角度まで少なくとも１段の角度切替機能を有している請求項２記載の商品陳列什器。
【請求項６】
第１のサイドフレームと第２のサイドフレームとを、それぞれの係合部のいずれか一方の係合凹部または係合凸部に水平支持材の端を接合して組み立て、該第２のサイドフレームと第３のサイドフレームとを、それぞれの係合部のいずれか他方の係合凹部または係合凸部に水平支持材の端を接合して組み立てることによって、３つ以上のサイドフレームを横方向に連結してなる請求項１〜５のいずれかに記載の商品陳列什器。
【発明の詳細な説明】
【０００１】
【発明の属する技術分野】
本発明は商品陳列什器に関し、陳列角度、陳列棚の高さと段数、幅を変更し得る商品陳列什器に関する。
【０００２】
【従来の技術】
従来、商品陳列什器に類するものとして、次の従来技術が提案されている。
意匠登録第９９０７４８号公報には、主にたばこ等のカートン入りの商品を陳列するための販売機が開示されている。
登録実用新案第３０２６５０１号公報には、商品を梱包する際に使用する梱包箱の少なくとも前部および後部の両側面側に少なくとも４本の柱部材を、梱包箱の側端部が係合部に係合するように配置した商品陳列棚が開示されている。
特開平８−２７５８５０号公報には、シャッターを開閉可能に設けた煙草陳列ケースが開示されている。
登録実用新案第３０４３２８８号公報には、回転車の機能を介して商品陳列棚全体をスライド可能とした商品陳列棚用スライド式支持器が開示されている。
登録実用新案第３０４９４８６号公報には、側部フレームの各々を、ジグザグ状フレームと足首部を両方向から挟んだ側部骨組みから構成し、段設定部材の主フレームを連結部材により側部骨組みにネジで固定した組立て棚枠組みが開示されている。
特開２００１−１９０３７１号公報には、横梁部材の両端部に上下方向を向くナットを溶接し、この横梁部材の両端部を、支柱の下部の互いに対向する内側面から、ナットが支柱内部に来るように挿入するとともに、横梁部材を支柱の内側面に溶接し、脚部材の下面より挿通した固定ボルトを、横梁部材の溶接ナットに螺合することにより、脚部材を取り付ける組立式陳列什器におけるフレーム連結構造が開示されている。
【０００３】
【発明が解決しようとする課題】
しかしながら、上述した従来技術には次のような問題があった。
意匠登録第９９０７４８号公報記載の販売機は陳列形態が限られてしまう。
登録実用新案第３０２６５０１号公報記載の商品陳列棚は、陳列するために使用できる梱包箱が限られており、陳列形態に制限がある。
特開平８−２７５８５０号公報記載の煙草陳列ケースは、シャッター関連設備を設けたことにより、設置スペースが大きくなり、カウンター廻りへの設置には不向きである。また陳列形態が限定されてしまう。
登録実用新案第３０４３２８８号公報記載の商品陳列棚用スライド式支持器は、設置スペースが大きくなり、省スペースが要求される場所には不向きである。また販売店のカウンター上に設置する場合、棚裏面からの商品補充作業が困難である。さらに、構造が複雑で構成部材が多くなり、高コストになってしまう。
登録実用新案第３０４９４８６号公報記載の組立て棚枠組みは、構成部材が多く高コストとなり、また組立方法が複雑であるために組立および分解に多くの手間と時間を要する問題がある。また商品を陳列する場合、陳列棚の固定ができず、陳列と補充作業性に問題がある。
特開２００１−１９０３７１号公報記載の組立式陳列什器におけるフレーム連結構造は、多段陳列の場合、商品を取り出し易くするするための傾斜を設けることができない。また什器の前後面の片側のみ使用する際に、奥行き方向にデッドスペースが生じる問題がある。
【０００４】
本発明は前記事情に鑑みてなされたもので、安価に提供でき、最小限の部材変更で陳列角度、陳列棚の高さと段数等を変更し得る商品陳列什器の提供を目的とする。
【０００５】
【課題を解決するための手段】
前記目的を達成するために、本発明は、少なくとも２つの離間した縦部材とそれらをつなぐ横部材とを有し、該縦部材の両側に高さ方向に沿って並ぶ多数の取付部が穿設され、かつ水平支持材を両側に接合可能な係合凹部または係合凸部が複数隣接された係合部が複数箇所に設けられた複数のサイドフレームと、一方のサイドフレームの係合部に一端を接合しかつ他方のサイドフレームの係合部に他端を接合した水平支持材と、前記縦部材の取付部に着脱可能に取り付けられた複数の棚ガイド部材と、対向状態で取り付けられた１対の該棚ガイド部材に着脱可能に取り付けられた陳列棚とを含むことを特徴とする商品陳列什器を提供する。
本発明の商品陳列什器において、前記サイドフレームは、前記縦部材と横部材とを角部となるジョイントで連結して構成してよい。
また前記ジョイントは、直角部、または鈍角部と鋭角部の組み合わせのいずれかを有する構成としてよい。
さらに前記ジョイントが合成樹脂からなり、かつ前記係合部を該ジョイントに設けた構成としてよい。
また本発明の商品陳列什器において、前記ジョイントが、前記サイドフレームの形状を長方形または正方形とする角度から、高さ方向が所定角度傾斜した平行四辺形になる角度まで少なくとも１段の角度切替機能を有する構成としてよい。
さらに本発明の商品陳列什器において、第１のサイドフレームと第２のサイドフレームとを、それぞれの係合部のいずれか一方の係合凹部または係合凸部に水平支持材の端を接合して組み立て、該第２のサイドフレームと第３のサイドフレームとを、それぞれの係合部のいずれか他方の係合凹部または係合凸部に水平支持材の端を接合して組み立てることによって、３つ以上のサイドフレームを横方向に連結した構成としてよい。
【０００６】
【発明の実施の形態】
以下、図面を参照して本発明の実施の形態を説明する。
図１は本発明の商品陳列什器の第１の実施形態を示す斜視図、図２は同じ商品陳列什器の組立斜視図であり、図１中符号１０は商品陳列什器である。
この商品陳列什器１０は、２つの離間した縦部材１１とそれらをつなぐ２つの横部材１２とを有し、該縦部材１１の両側に長手方向（高さ方向）に沿って並ぶ多数の取付穴１３（取付部）が穿設され、かつ水平支持材１４を両側に接合可能な係合凹部１５が２つ隣接された係合部１６が複数箇所に設けられた２つのサイドフレーム１７と、一方のサイドフレーム１７の係合部１６に一端を接合しかつ他方のサイドフレーム１７の係合部１６に他端を接合した水平支持材１４と、縦部材１１の取付穴１３に着脱可能に取り付けられた複数の棚ガイド部材１８と、対向状態で取り付けられた１対の棚ガイド部材１８に着脱可能に取り付けられた陳列棚１９と、２つのサイドフレーム１７を水平支持材１４で接合して構成された本体の上面を覆うように取り付けられた天板２０とから構成されている。
【０００７】
図１に示すように、本実施形態の商品陳列什器１０は、平行四辺形をなす２つのサイドフレーム１７を４つまたは５つの水平支持材１４で接合して組み立てられ、その正面側が傾斜面となるように構成したことを特徴とする。
このサイドフレーム１７は、アルミニウムなどの金属製の角筒からなる２つの縦部材１１と、同じく金属製の角筒からなる２つの横部材１２とを、平行四辺形の角部となる４つのジョイント２２〜２４により連結して構成されている。
【０００８】
この縦部材１１には、長手方向に沿って多数の取付穴１３が、該縦部材１１の両側を貫通するように穿設されている。これらの取付穴１３は円形、長円形、楕円形、三角形、四角形またはそれ以上の多角形などの種々の形状で形成し得るが、好ましくは円形とされる。また取付穴１３の大きさは、棚ガイド部材１８に設けられた取付突起２６の大きさに応じて適宜設定される。さらに取付穴１３どうしの間隔は、縦部材１１の長手方向（商品陳列什器１０の高さ方向）に沿って所望位置に棚ガイド部材１８および陳列棚１９を取り付け可能なように、かつ縦部材１１の機械強度が弱化しない範囲で設定され、通常は縦部材１１の両側に長手方向に沿って１０〜４０個程度設けられる。
【０００９】
本実施形態において、縦部材１１は商品陳列什器１０の高さ寸法に応じた長さを有し、また前記横部材１２は商品陳列什器１０の奥行き寸法に応じた長さを有している。これらの縦部材１１および横部材１２を構成する金属材料は、アルミニウム、アルミニウム合金、ステンレス鋼、塗装した炭素鋼などを用いることができ、特に商品陳列什器１０の軽量化が図れ、安価に製造し得るなどの点でアルミニウムまたはアルミニウム合金が好ましい。
【００１０】
前記ジョイント２２〜２４は、例えばポリエチレン系樹脂、ポリプロピレン系樹脂、ポリスチレン系樹脂、アクリル系樹脂、塩化ビニル系樹脂、ＡＢＳ樹脂、ポリエチレンテレフタレート系樹脂、ポリカーボネート系樹脂、ポリアミド系樹脂などの合成樹脂材料で作製されている。これらのジョイント２２〜２４は、折曲部分を介して延出した２つの端部のうち一方の端部に縦部材１１の一端を嵌合するとともに、他方の端部に横部材１２の一端を嵌合して取り付けられ、それぞれが平行四辺形をなすサイドフレーム１７の角部を形成している。
本実施形態にあっては、１つのサイドフレーム１７に、鈍角部を有するジョイント２２と、鋭角部を有する２つのジョイント２３と、鈍角部を有しかつ横部材１２に沿って真直ぐに延びる延長部分２４Ａを有するジョイント２４とを備えている。そして鋭角部を有する２つのジョイント２３を対角に配するとともに、鈍角部を有するジョイント２２と延長部分を有するジョイント２４を対角に配し、２つの縦部材１１と２つの横部材１２との端を各ジョイント２２〜２４に嵌合することで、平行四辺形をなすサイドフレーム１７が形成されている。ジョイント２４の延長部分２４Ａは、上部が背面側に傾斜した該商品陳列什器１０が背面側に倒れるのを防止する支持体として機能する。
各ジョイント２２〜２４の端部と、縦部材１１および横部材１２の端との連結構造は特に限定されず、強制嵌合、ネジ止め、接着などの従来周知の固定手段を用いることができるが、ジョイント２２〜２４の端部に適当な突起を設けておき、縦部材１１および横部材１２の端から内部に該端部を押し込むことで、両者が十分に接合されるような強制嵌合構造を用いるのが好ましい。
【００１１】
これらのジョイント２２〜２４には、隣接して形成された２つの係合凹部１５からなる係合部１６が設けられている。これらの係合凹部１５は、両側に水平支持材１４をネジ止めできるような構造になっている。例えば水平支持材１４の端面に雌ネジ穴が形成されている場合（図２参照）、ジョイント両側に該水平支持材１４の端が挿入される浅い凹部と、中心にネジ２１を挿通する小さい貫通孔とを有し、これらの浅い凹部の間に中心にネジ２１を挿通する小さい貫通孔を有するネジ受け用壁部を有する係合凹部１５を用いることができる。２つの係合凹部１５の間隔は、それらが重ならないように数ｍｍ程度設けることが望ましい。
【００１２】
前記水平支持材１４は、アルミニウムやアルミニウム合金などの金属製の円管また角管からなる。この水平支持材１４の両端には、ネジ２１が螺着嵌合される雌ネジ穴が穿設されている。本実施形態の商品陳列什器１０にあっては、合成樹脂製のジョイント２２〜２４に係合部１６を設け、２つのサイドフレーム１７の各ジョイント２２〜２４の係合部１６に水平支持材１４の端をネジ止めする構造であり、水平支持材１４を合成樹脂製のジョイント２２〜２４で挟着した状態で組み立てられるので、商品陳列什器１０に加わる外力がジョイント２２〜２４の撓みによって緩和され、ネジ２１への応力集中が減じられるので、金属からなる縦部材１１および横部材１２で水平支持材１４を挟んだ状態でネジ止めする場合と比べ、ネジ２１にゆるみを生じ難くなり、ネジ２１が脱落し難くなり、商品陳列什器１０の耐久性、安定性を確保し易くなる。
【００１３】
前記棚ガイド部材１８は断面Ｌ字状の細板であり、その両端部裏面には、サイドフレーム１７の取付穴１３に挿入して着脱可能に取り付ける取付突起２６が設けられている。棚ガイド部材１８は、例えばポリエチレン系樹脂、ポリプロピレン系樹脂、ポリスチレン系樹脂、アクリル系樹脂、塩化ビニル系樹脂、ＡＢＳ樹脂、ポリエチレンテレフタレート系樹脂、ポリカーボネート系樹脂、ポリアミド系樹脂などの合成樹脂材料で作製されている。この棚ガイド部材１８は、サイドフレーム１７の高さ方向に沿って所望の位置に取り付けることができ、また長手方向を水平にして取り付ける他、一方の取付突起２６を該水平位置から上下にずらせて取り付けることで、奥行き方向が上向きまたは下向きとなるよう、ある程度傾斜させた状態で取り付けることもできる。
【００１４】
前記天板２０は、商品陳列什器１０の上面を覆う合成樹脂板であり、例えばポリエチレン系樹脂、ポリプロピレン系樹脂、ポリスチレン系樹脂、アクリル系樹脂、塩化ビニル系樹脂、ＡＢＳ樹脂、ポリエチレンテレフタレート系樹脂、ポリカーボネート系樹脂、ポリアミド系樹脂などの合成樹脂材料で作製されている。
【００１５】
前記陳列棚１９は、陳列する商品の形状や大きさに応じて適当な形状や構造を有するものが適用でき、本例示では、例えば煙草などの小箱を縦横に並べて配置し得る構造になっている。この陳列棚１９は、ポリスチレン系樹脂、アクリル系樹脂などの透明な合成樹脂材料で形成されている。この陳列棚１９は、対向状態で取り付けられた１対の棚ガイド部材１８に着脱可能に取り付けられ、本例示では棚ガイド部材１８の水平板上に載置されている。このように載置された陳列棚１９は、商品陳列什器１０の正面側および背面側のどちらからでも取り出すことができるので、商品の補充の際に利便的である。なお、陳列棚１９の形状は本例示に限定されず、例えば図２中符号２５で示すような角皿状のトレー２５を用いてもよい。
【００１６】
図２は、本実施形態の商品陳列什器１０の組立斜視図を示すものである。この商品陳列什器１０を組み立てるには、まず２つの縦部材１１と横部材１２と４つのジョイント２２〜２４とからサイドフレーム１７を作製する。
次に、２つのサイドフレーム１７のそれぞれ対応するジョイント２２〜２４の係合部１６のうち一方の係合凹部１５に水平支持材１４の端を挟み込み、反対側から各係合凹部１５にネジ２１を挿入し、螺着嵌合する。なお、図２においてはジョイント２４の延長部分２４Ａに別の係合凹部１５を設け、ここに第５の水平支持材１４を接合している。これらの水平支持材１４をネジ２１で各ジョイント２２〜２４および延長部分２４Ａに接合することによって、側面視平行四辺形をなす立体（商品陳列什器本体、以下本体という）が形成される。
次に、該本体の内側の取付穴１３に、対向状態で１対以上の棚ガイド部材１８を取り付ける。
次に、対をなす棚ガイド部材１８に陳列棚１９を載置する。
【００１７】
この商品陳列什器１０は、組立後の状態で製造、販売することができる他、購入後に使用者が組み立てるために、例えば２つのサイドフレーム１７と、４つ（または５本）の水平支持材１４と、一つの天板２０と、複数の陳列棚１９と、該陳列棚１９を設置可能な個数の棚ガイド部材１８と、８〜１０個のネジ２１と、該ネジ２１締結用のネジ回しを同梱した組立キットとして製造、販売することもできる。なおこの組立キットは、後述する直角部を有するジョイント３３、該ジョイント３３を有する長方形のサイドフレーム３４、横方向に連結するために必要な個数の前記各構成部材（増設用キット）などをそれぞれ単独で、または組み合わせた形態としても良い。
【００１８】
図３〜６は、本発明の商品陳列什器の第２の実施形態を示す図であり、図３は商品陳列什器の側面図、図４は同平面図、図５は同正面図、図６は同底面図である。本実施形態の商品陳列什器３０は、前述の第１の実施形態による商品陳列什器１０の側面に、第３のサイドフレーム１７を複数の水平支持材１４を介して連結した構造になっている。
【００１９】
この商品陳列什器３０は、第１と第２のサイドフレーム１７を複数の水平支持材１４で連結した商品陳列什器１０の該第２のサイドフレーム１７にある、使用していない側の係合凹部１５を用い、これらの係合凹部１５と、第３のサイドフレーム１７のそれらに対応する側（水平支持材１４を水平に接合し得る側）の係合凹部１５との間に水平支持材１４を挟み込み、ネジ２１を螺着嵌合することで、２台一連の商品陳列什器３０を構成している。図６において、商品陳列什器３０の左側と右側とで、水平支持材１４の接合位置がずれていることがわかる。
【００２０】
この商品陳列什器１０（３０）に用いるサイドフレーム１７は、縦部材１１の両側に取り付け穴１３を設けてあるので、この２台一連の商品陳列什器３０において、中央の（第２の）サイドフレーム１７は、縦部材１１の両側に棚ガイド部材１８を取り付けることができ、３枚のサイドフレーム１７で２台分の商品陳列能力を得ることができる。さらに、必要に応じて該第３の（または第１の）サイドフレーム１７の隣りに第４のまたはそれ以上の枚数のサイドフレーム１７を水平支持材１４を介して連結することで、所望の連結個数を有する横長の商品陳列什器を構成することができる。
【００２１】
図７〜１０は、本発明の商品陳列什器の第３の実施形態を示す図であり、図７は商品陳列什器の側面図、図８は同平面図、図９は同正面図、図１０は同底面図である。本実施形態の商品陳列什器３１，３２において、前述の第１の実施形態による商品陳列什器１０および第２の実施形態による商品陳列什器３０と同一の構成要素には同一符号を付し、その説明は省略する。
【００２２】
本実施形態では、直角部を有する４つのジョイント３３によって２つの縦部材１１と２つの横部材１２を連結して長方形のサイドフレーム３４を構成し、２つのサイドフレーム３４を４本の水平支持材１４を介して接合し、直方体形状の商品陳列什器３１を構成し、さらに第２のサイドフレーム３４の外側に第３のサイドフレーム３４を４本の水平支持材１４を介して接合し、２台一連の商品陳列什器３２を構成している。
【００２３】
この商品陳列什器３１，３２は、ジョイント３３を交換するだけで、他の構成要素は全て前述した商品陳列什器１０，３０と同一とすることができるので、ジョイントのみを交換して平行四辺形のサイドフレーム１７を有する商品陳列什器１０（３０）と、長方形のサイドフレーム３４を有する商品陳列什器３１（３２）とを相互変更できる。また必要に応じて、左右いずれかのサイドフレーム３４を取り外し、１台の商品陳列什器３１として使用したり、４つ以上のサイドフレーム３４を連結して横長の商品陳列什器を構成してもよい。
【００２４】
このように、前記第１〜第３の各実施形態の商品陳列什器は、ジョイントを交換するだけで、平行四辺形のサイドフレームを有し、高さ方向が傾斜した商品陳列什器と、長方形のサイドフレームを有し、高さ方向が垂直な商品陳列什器とを構成できるので、両方のサイドフレームを全く別個の部材で製造する場合に比べ、材料の無駄がなくなり、また構成部材のリユース、リサイクルを図るために有効である。
また最小限の部材変更で高さ方向が傾斜した形態と垂直な形態を得ることができ、商品の種類や設置場所に応じて陳列形態の変更が容易であり、用途の多様化を図ることができる。
さらに複数のサイドフレームを複数の水平支持材を介して接合するのみで組み立てが可能であり、横方向の連結も容易に実施できるので、組立作業性に優れている。
また構成部品点数が少なく、横方向に複数個連結する際に中央のサイドフレームを共用できるので必要な部品数が少なくて済み、コンパクトに包装できるので、製造コストおよび物流コストを削減できる。
さらに複数の縦部材と横部材とを合成樹脂製のジョイントで連結してサイドフレームとし、さらに複数のサイドフレームをジョイント間に水平支持材を介して接合する構成としたので、合成樹脂製のジョイントが商品陳列什器に加わる外力を吸収し、縦部材および横部材の応力集中による変形や、該ジョイントに設けた接合部におけるネジのゆるみなどが緩和され、商品陳列什器の耐久性を向上できる。
また、陳列棚を正面側および背面側から取り出し可能な構成としたので、商品補充・交換の際の作業性が良好であり、利便性に優れている。
さらにサイドフレームの両側に取付穴を設け、３つ以上のサイドフレームを水平支持材を介して連結する場合、中央のサイドフレームの左右に棚ガイド部材を取り付けて中央のサイドフレームを共用できるので、陳列スペースが有効利用でき、陳列場所の省スペース化を図ることができる。
【００２５】
図１１は、本発明の商品陳列什器の第４の実施形態を示す図である。本実施形態の商品陳列什器４０は、サイドフレームの縦部材１１と横部材１２とをつなぐジョイントとして、サイドフレームの形状を長方形とする角度から、高さ方向が所定角度傾斜した平行四辺形になる角度まで少なくとも１段の角度切替機能を有するジョイント４１を用いて構成されている。このジョイント４１としては、例えばリクライニングシートや折り畳みベッドなどに使用されている角度切替機能付きジョイントを適用することができる。
【００２６】
本実施形態の商品陳列什器４０は、角度切替機能を有するジョイント４１を備えた構成としたので、高さ方向が垂直な状態から、所定角度傾斜した状態まで、傾斜角度を切り替えて使用できるので、例えば店内カウンター上で使用する場合、通常は客が商品を見やすくかつ取り出しやすいように、上部を背面側に傾斜させておき、店員が背面側から商品を補充する際には、傾斜を逆向きにすることで、簡単に補充作業が行える。
【００２７】
なお、前述した各実施形態は本発明の例示に過ぎず、本発明はこれらに限定されるものではなく種々の変更が可能である。例えば、前記各実施形態では、２つの縦部材と横部材とをジョイントで連結して平行四辺形または長方形のサイドフレームを構成したが、縦部材と横部材の個数は２つに限定されず、３本以上の縦部材または横部材を用いて各種形状のサイドフレームを形成することもできる。また縦部材および横部材が円弧状またはＬ字状などの直線状以外の形状であってもよい。
また縦部材に設けた取付穴に代えて、棚ガイド部材を取り付け可能な取付用突起や雌ネジ穴などの他の取付手段を用いてもよい。
また係合部の係合凹部に代えて、水平支持材の先端に係合可能な係合凸部を設けてもよい。また、係合部の係合凹部の個数は３つ以上としてよい。
さらに棚ガイド部材による陳列棚の取付構造は、単に水平板上に陳列棚を載置する以外に、ガイドレールに沿って陳列棚を引出せるスライド式の取付構造としても良い。
また、本発明の商品陳列什器は、必要に応じてサイドフレーム下部に走行搬送用のキャスターを取り付けることもできる。これによって商品陳列什器の移動が簡単に行える。
さらに、サイドフレームを構成する縦部材および横部材と水平支持材とを、例えば一方の端に雌ネジを設け、他端に雄ネジを設けて、該雄ネジを雌ネジに螺着嵌合することで複数本を連結可能な構造とし、商品陳列什器のサイズを変更可能とすることもできる。これによって商品陳列什器の高さ、奥行きのサイズを多様化できる。
【００２８】
【発明の効果】
本発明の商品陳列什器は、ジョイントの角度切替操作によって、またはジョイントのみ交換するだけで、高さ方向が傾斜した商品陳列什器と高さ方向が垂直な商品陳列什器とを構成できるので、両方のサイドフレームを全く別個の部材で製造する場合に比べ、材料の無駄がなくなり、また構成部材のリユース、リサイクルを図るために有効である。
また最小限の部材変更で高さ方向が傾斜した形態と垂直な形態を得ることができ、商品の種類や設置場所に応じて陳列形態の変更が容易であり、用途の多様化を図ることができる。
さらに複数のサイドフレームを複数の水平支持材を介して接合するのみで組み立てが可能であり、横方向の連結も容易に実施できるので、組立作業性に優れている。
また構成部品点数が少なく、横方向に複数個連結する際に中央のサイドフレームを共用できるので必要な部品数が少なくて済み、コンパクトに包装できるので、製造コストおよび物流コストを削減できる。
さらに複数の縦部材と横部材とを合成樹脂製のジョイントで連結してサイドフレームとし、さらに複数のサイドフレームをジョイント間に水平支持材を介して接合する構成としたので、合成樹脂製のジョイントが商品陳列什器に加わる外力を吸収し、縦部材および横部材の応力集中による変形や、該ジョイントに設けた接合部におけるネジのゆるみなどが緩和され、商品陳列什器の耐久性を向上できる。
また、陳列棚を正面側および背面側から取り出し可能な構成としたので、商品補充・交換の際の作業性が良好であり、利便性に優れている。
さらにサイドフレームの両側に取付穴を設け、３つ以上のサイドフレームを水平支持材を介して連結する場合、中央のサイドフレームの左右に棚ガイド部材を取り付けて中央のサイドフレームを共用できるので、陳列スペースが有効利用でき、陳列場所の省スペース化を図ることができる。
【図面の簡単な説明】
【図１】本発明の商品陳列什器の第１の実施形態を示す斜視図である。
【図２】同じ商品陳列什器の組立斜視図である。
【図３】本発明の商品陳列什器の第２の実施形態を示す側面図である。
【図４】同じ商品陳列什器の平面図である。
【図５】同じ商品陳列什器の正面図である。
【図６】同じ商品陳列什器の底面図である。
【図７】本発明の商品陳列什器の第３の実施形態を示す側面図である。
【図８】同じ商品陳列什器の平面図である。
【図９】同じ商品陳列什器の正面図である。
【図１０】同じ商品陳列什器の底面図である。
【図１１】本発明の商品陳列什器の第４の実施形態を示す側面図である。
【符号の説明】
１０，３０，３１，３２，４０　　商品陳列什器
１１　　縦部材
１２　　横部材
１３　　取付穴（取付部）
１４　　水平支持材
１５　　係合凹部
１６　　係合部
１７，３４　　サイドフレーム
１８　　棚ガイド部材
１９　　陳列棚
２２，２３，２４，３３，４１　　ジョイント
【図１】
2004073663.tif 000003
【図２】
2004073663.tif 000004
【図３】
2004073663.tif 000005
【図４】
2004073663.tif 000006
【図５】
2004073663.tif 000007
【図６】
2004073663.tif 000008
【図７】
2004073663.tif 000009
【図８】
2004073663.tif 000010
【図９】
2004073663.tif 000011
【図１０】
2004073663.tif 000012
【図１１】
2004073663.tif 000013